(57)【特許請求の範囲】
【請求項１】
入浴者が座った状態で台車に固定された座部を、該台車から分離して入浴リフトで吊り上げ、該入浴者を該座部ごと浴槽に入浴させる該入浴リフトにおける入浴リフト座部脱落防止機構において、
該入浴リフトが、リフトアームの該座部と連結される部分に係止バーを備え、
該台車が、ドグ部材を備え、
該座部が、該係止バーを略コ字状に囲い込むように設けられる吊りブロックと、該吊りブロックが該係止バーを囲い込んだ状態で、該吊りブロックの開口側が開放されている時の位置から１５〜２５度回転して該吊りブロックの開口側を封止して該係止バーの該吊りブロックからの脱落を規制するロックアームと、該ドグ部材から離間している状態で該吊りブロックの開口側を封止すると共に該ドグ部材に当接している状態で該吊りブロックの開口側を開放するように該ロックアームを動作させるロック解除機構とからなるロック機構を備え、
該吊りブロックが、該開口側を下方に向けて設けられ、
該ロックアームが、該吊りブロックの下方に開いた開口を封止し、
該ロックアームが、該吊りブロックの少なくとも一方の側部の内側に当接しつつ該吊りブロックの該開口を封止することを特徴とする入浴リフト座部脱落防止機構。
【発明の詳細な説明】
【技術分野】
【０００１】
本発明は、入浴者が座った状態で台車に固定された座部を、台車から分離して入浴リフトで吊り上げ、入浴者を座部ごと浴槽に入浴させる入浴リフトにおける入浴リフト座部脱落防止機構に関する。
【背景技術】
【０００２】
従来より、介護施設等で、入浴者が座った状態で台車に固定された座部を、台車から分離して入浴リフトで吊り上げ、入浴者を座部ごと浴槽に入浴させる入浴リフトが用いられている。この入浴リフトのリフトアームと座部は、着脱自在であるが、不用意にリフトアームから座部が脱落しないようにするための入浴リフト座部脱落防止機構が、提案されている。
【０００３】
例えば、特許文献１に示される安全入浴リフトは、リフト部に設けられる係止部と、載部に設けられ係止部に係止可能な被係止部とからなる係止機構において、係止部又は被係止部は手動操作によって被係止部又は係止部に、係止及び係止解除が可能な構造であり、係止部及び被係止部が、互いに係止していない場合にはリフト部が上昇しても載部が追従作動しないものであることを特徴としている。
【０００４】
そして、係止部及び被係止部を互いに係止・離脱させる際、その係止状態を手動操作具によってロックあるいは解除可能な保持機構がリフト部及び／又は載部に付加取着され、保持機構を手動操作具によって保持解除操作しない限り、係止部と被係止部の係止が解除できないことを特徴とする。
【先行技術文献】
【特許文献】
【０００５】
【特許文献１】特開２００２−３０６５６３号公報
【発明の概要】
【発明が解決しようとする課題】
【０００６】
しかしながら、従来の入浴リフト座部脱落防止機構は、保持機構を手動操作具によって保持解除操作する必要があり、操作が煩雑である。
【０００７】
本発明は、このような事情に鑑みてなされたもので、入浴者及び入浴リフトを操作する者が、自ら座部の脱落を防止するために特別な操作を行う必要がなく、ロック等のし忘れをなくす一方、煩雑な操作が不要でありながら、座部が不必要に脱落することが防止される入浴リフト座部脱落防止機構を提供することにある。
【課題を解決するための手段】
【０００８】
請求項１記載の入浴リフト座部脱落防止機構は、入浴リフトが、リフトアームの座部と連結される部分に係止バーを備え、台車が、ドグ部材を備え、座部が、係止バーを略コ字状に囲い込むように設けられる吊りブロックと、吊りブロックが係止バーを囲い込んだ状態で、吊りブロックの開口側が開放されている時の位置から１５〜２５度回転して吊りブロックの開口側を封止して係止バーの吊りブロックからの脱落を規制するロックアームと、ドグ部材から離間している状態で吊りブロックの開口側を封止すると共にドグ部材に当接している状態で吊りブロックの開口側を開放するようにロックアームを動作させるロック解除機構とからなるロック機構を備え、吊りブロックが、開口側を下方に向けて設けられ、ロックアームが、吊りブロックの下方に開いた開口を封止し、ロックアームが、吊りブロックの少なくとも一方の側部の内側に当接しつつ吊りブロックの開口を封止することを特徴とする。
【発明の効果】
【００１３】
本願の発明によれば、入浴者及び入浴リフトを操作する者が、自ら座部の脱落を防止するために特別な操作を行う必要がなく、ロック等のし忘れをなくす一方、煩雑な操作が不要でありながら、座部が不必要に脱落することが防止される。
【図面の簡単な説明】
【００１４】
【図１】本発明に係る入浴リフト座部脱落防止機構の第１の実施例を示す説明図である。
【図２】同第１の実施例の入浴リフト座部脱落防止機構の使用方法を示す説明図である。
【図３】同第１の実施例の入浴リフト座部脱落防止機構の動作を示す説明図である。
【図４】同第１の実施例の入浴リフト座部脱落防止機構の背面の構造を示す説明図である。
【図５】同第１の実施例の入浴リフト座部脱落防止機構の動作を示す説明図である。
【図６】本発明に係る入浴リフト座部脱落防止機構の第２の実施例を示す説明図である。
【図７】本発明に係る入浴リフト座部脱落防止機構の第３の実施例を示す説明図である。
【図８】同第３の実施例の入浴リフト座部脱落防止機構の背面の構造を示す説明図である。
【図９】同第３の実施例の入浴リフト座部脱落防止機構の動作を示す説明図である。
【図１０】本発明に係る入浴リフト座部脱落防止機構の第４の実施例を示す説明図である。
【図１１】同第４の実施例の入浴リフト座部脱落防止機構の背面の構造を示す説明図である。
【図１２】同第４の実施例の入浴リフト座部脱落防止機構の動作を示す説明図である。
【図１３】同第４の実施例の入浴リフト座部脱落防止機構の動作を示す説明図である。
【発明を実施するための形態】
【００１５】
本願発明に係る入浴リフト座部脱落防止機構は、入浴者が座った状態で台車に固定された座部を、台車から分離して入浴リフトで吊り上げ、入浴者を座部ごと浴槽に入浴させる入浴リフトにおける座部が、入浴リフトから脱落することを防止するための機構に関する。
【実施例１】
【００１６】
以下、本発明の形態について図面を参照しながら具体的に説明する。図１は、本発明に係る入浴リフト座部脱落防止機構の第１の実施例を示す説明図である。図２は、同第１の実施例の入浴リフト座部脱落防止機構の使用方法を示す説明図である。図３は、同第１の実施例の入浴リフト座部脱落防止機構の動作を示す説明図である。図４は、同第１の実施例の入浴リフト座部脱落防止機構の背面の構造を示す説明図である。図５は、同第１の実施例の入浴リフト座部脱落防止機構の動作を示す説明図である。
【００１７】
図１〜図５において、図２に示すように、入浴リフト２は、入浴者が座った状態で台車１０に固定された座部３０を、台車１０から分離して入浴リフト２で吊り上げ、入浴者を座部３０ごと浴槽４に入浴させるものである。具体的には、入浴リフト２の上下に稼働するリフトアーム５０が、座部３０と連結されることになる。
【００１８】
座部３０は、座部フレーム３２の上に入浴者の尻部が乗る座部クッション材３４が設けられ、座部フレーム３２の後部から略逆Ｕ字状に背部フレーム３６が起立して設けられている。そして、背部フレーム３６の座部クッション材３４側に背部クッション材３８が設けられ、背部フレーム３６及び背部クッション材３８とで、背もたれが形成されている。また、背部フレーム３６の上部中央には、上方に伸びてヘッドレスト４０が設けられている。更に、背部フレーム３６の両脇には、アームレスト４２が設けられている。
【００１９】
座部３０は、台車１０の上に載置され、台車及び座部３０とで、車いす状態で使用可能なものである。台車１０は、金属パイ部が枠組みされ、四方の下方に突出した部分に車輪１４を有する台車フレーム１２と、台車フレーム１２の前方に伸びて設けられたフットレスト２２とを備える。また、台車１０は、座部３０が乗る台車フレーム１２の部分に、座部受け１６，１８を備え、座部３０が台車１０に乗った状態で、座部３０が台車１０からずり落ちない構造になっている。
【００２０】
図１〜図５の本実施例における入浴リフト座部脱落防止機構は、係止バー５２、ドグ部材２０、ロック機構等から構成されている。係止バー５２は、入浴リフト２の逆Ｙ字状に下方に向かって伸びるリフトアーム５０の２本の間に略水平に架け渡されて設けられ、リフトアーム５０の座部３０と連結される部分を形成するものである。ドグ部材２０は、台車１０の台車フレーム１２の後方上部（座部３０の背部フレーム３６の下方）から、上向きに突出する略円柱状のものである。尚、略平らに形成されている。
【００２１】
ロック機構は、座部３０の側に設けられ、吊りブロック６２、ロックアーム６４、ロック解除機構６０等から構成されている。吊りブロック６２は、座部３０の背部フレーム３６の上方に、リフトアーム５０の係止バー５２を略コ字状に囲い込むように設けられている。ロックアーム６４は、吊りブロック６２が係止バー５２を囲い込んだ状態で、吊りブロック６２の開口側を封止して、吊りブロック６２の係止バー５２からの脱落を規制するものである。ロック解除機構６０は、ドグ部材２０から離間している状態で吊りブロック６２の開口側を封止すると共にドグ部材２０に当接している状態で吊りブロック６２の開口側を開放するようにロックアーム６４を動作させる機構である。
【００２２】
次に、吊りブロック６２、ロックアーム６４、ロック解除機構６０等の詳細を説明する。ロック解除機構６０は、具体的には、まず、一端が座部３０の背部フレーム３６の最下部に回動自在に座部側軸７０で固定された当接リンク６８が設けられ、当接リンク６８の他端から上方に向かって、回動自在にロッド６６が伸びている。ロッド６６の上端は、座部３０の背部フレーム３６に回動自在に回動軸７４で軸支された回動片７２に接続されている。回動軸７４は、略逆Ｕ字状の背部フレーム３６の左右の間に略水平に架け渡されて回転する。この略水平に設けられた回動軸７４の途中から、ロックアーム６４が、吊りブロック６２方向に起立している。また、回動軸７４は、背部フレーム３６から突出するバネ基台７８との間にバネ７６が架け渡され、ロッド６６（当接リンク６８の他端）が下に下がる方向に、付勢されている。尚、図４に示すように、吊りブロック６２、ロックアーム６４、ロック解除機構６０等は、左右対称に設けられている。
【００２３】
次に、本実施例の入浴リフト座部脱落防止機構の動作及び使用方法を説明する。まず、座部３０が台車１０に固定された状態で入浴者が座部３０に座っており、そして、浴槽４の脇に移動されてくる。次に、図５（ａ）に示されるように、入浴リフト２のリフトアーム５０が座部３０の背部フレーム３６の背後に来るように、リフトアーム５０に向かって座部３０を台車１０ごと接近させる。このとき、リフトアーム５０の係止バー５２が、背部フレーム３６の吊りブロック６２の下方に開いた開口よりも下に来るように、リフトアーム５０の高さを操作した上で接近させる。このとき、ロック解除機構６０の当接リンク６８の他端が、ドグ部材２０の上面に当接して押し上げられているために、ロッド６６が上方に押し上げられ、ロッド６６が回動片７２をバネ７６の付勢力に抗して、回動軸７４を反時計回りに背部フレーム３６方向に回転させた状態になっている。この回動軸７４の位置では、回動軸７４から起立するロックアーム６４の位置は、吊りブロック６２の下方に開いた開口を開放した状態になっている。
【００２４】
次に、図５（ｂ）に示すように、背部フレーム３６（背部クッション材３８）を、リフトアーム５０に更に近づけ、リフトアーム５０の下端付近から背部フレーム３６方向に突出する押し当て部材５４に、背部フレーム３６が当たる位置まで移動させる。これにより、リフトアーム５０の係止バー５２が、背部フレーム３６の吊りブロック６２の下方に開いた開口の真下に位置することになる。
【００２５】
この状態で、入浴リフト２のリフトアーム５０を徐々に上昇させていくと、まず、図３に示すように、リフトアーム５０の係止バー５２が、背部フレーム３６の吊りブロック６２の下方に開いた開口に嵌まり込むことになる。この状態では、まだ、座部３０自体が浮き上がっておらず、ロック解除機構６０の当接リンク６８の他端が、ドグ部材２０の上面に当接したままなので、ロックアーム６４は動かない。
【００２６】
ところが、入浴リフト２のリフトアーム５０を徐々に上昇させていくと、入浴リフト２のリフトアーム５０が、係止バー５２が係った吊りブロック６２を吊り上げることになり、座部３０が全体として持ち上がり始める。すると、ロック解除機構６０の当接リンク６８の他端が、ドグ部材２０の当接から開放されることで、ロッド６６が下に下がることが可能になり、回動軸７４に設けられたバネ７６の付勢力が作用し、ロッド６６及び当接リンク６８の他端が下がることになる。それと共に、回動軸７４が時計回りに回転し、回動軸７４の回転に合わせて、ロックアーム６４の先端が、背部フレーム３６の吊りブロック６２の下方に開いた開口を封止する位置に移動する（図１参照）。これにより、入浴リフト２のリフトアーム５０から、座部３０が不必要に脱落することが防止される状態になる。
【実施例２】
【００２７】
上記の実施例１の入浴リフト座部脱落防止機構と基本構造は同一であるが、さらに脱落防止の機能を向上させた実施例が、この実施例２である。図６は、本発明に係る入浴リフト座部脱落防止機構の第２の実施例を示す説明図である。
【００２８】
本実施例２の入浴リフト座部脱落防止機構は、実施例１の入浴リフト座部脱落防止機構とは、ロックアーム６４ａが異なっている。本実施例２のロックアーム６４ａは、ロックアーム６４ａが、吊りブロック６２の少なくとも一方の側部の内側に当接しつつ吊りブロック６２の開口を封止する構造になっている。このようなロックアーム６４ａであれば、入浴リフト２のリフトアーム５０から、座部３０が不必要に脱落することが防止される状態になる。
【実施例３】
【００２９】
上記の実施例１及び実施例２では、ロックアーム６４，６４ａが、吊りブロック６２の下方で回動移動して吊りブロック６２の下方に開いた開口を封止する構造である。これに対し、本実施例３の入浴リフト座部脱落防止機構は、吊りブロック８２の上方でロックアーム８４が回動して吊りブロック８２の下方に開いた開口を封止する構造である。図７は、本発明に係る入浴リフト座部脱落防止機構の第３の実施例を示す説明図である。図８は、同第３の実施例の入浴リフト座部脱落防止機構の背面の構造を示す説明図である。図９は、同第３の実施例の入浴リフト座部脱落防止機構の動作を示す説明図である。
【００３０】
本実施例３における入浴リフト２及びリフトアーム５０は、実施例１及び実施例２と同様の構造である。また、台車１０及び座部３０の基本構造も、実施例１及び実施例２と同様である。このため、以下、本実施例３と実施例１及び実施例２との違いを説明する（図７〜図９で、図１〜図６と同じ符号が附されたものは、同一又は同様のものである）。図７〜図９の本実施例における入浴リフト座部脱落防止機構では、ロック機構は、座部３０の側に設けられ、吊りブロック８２、ロックアーム８４、ロック解除機構８０等から構成されている。
【００３１】
吊りブロック８２は、座部３０の背部フレーム３６の上方に、リフトアーム５０の係止バー５２を略コ字状に囲い込むように設けられている。ロックアーム８４は、吊りブロック８２が係止バー５２を囲い込んだ状態で、吊りブロック８２の開口側を封止して吊りブロック８２の係止バー５２からの脱落を規制するものである。ロック解除機構８０は、ドグ部材２０から離間している状態で吊りブロック８２の開口側を封止すると共にドグ部材２０に当接している状態で吊りブロック８２の開口側を開放するようにロックアーム８４を動作させる機構である。
【００３２】
次に、吊りブロック８２、ロックアーム８４、ロック解除機構８０等の詳細を説明する。ロック解除機構８０は、具体的には、まず、一端が座部３０の背部フレーム３６の最下部に回動自在に台車側軸９０で固定された当接リンク８８が設けられ、当接リンク８８の他端から上方に向かって、回動自在にロッド８６ａが伸びている。ロッド８６ａの上端は、座部３０の背部フレーム３６に回動自在に回動軸９４ａで軸支された回動片９２ａに接続されている。回動軸９４ａは、略逆Ｕ字状の背部フレーム３６の左右の間に略水平に架け渡されて回転する。回動軸９４ａは、背部フレーム３６から突出するバネ基台９８との間にバネ９６が架け渡され、ロッド８６ａ（当接リンク８８の他端）が下に下がる方向に、付勢されている。
【００３３】
略水平に設けられた回動軸９４ａの途中に、回動片９２ａとは逆方向に突出する回動片９２ｂが設けられ、その回動片９２ｂの先端に、回動自在にロッド８６ｂが設けられ、ロッド８６ｂが上方に伸びている。図８に示すように、吊りブロック８２は左右対称に２つ設けられ、その２つの吊りブロック８２の上方に架け渡されて回動軸９４ｂが設けられている。回動軸９４ｂの端部には、略コ字状で薄板状のロックアーム８４の一片の略中間部分が、固定されている。そして、ロックアーム８４の一片の回動軸９４ｂから突出したロックアーム片８４ａには、ロッド８６ｂの上端が、回動自在に接続されている。このような構造により、ロックアーム８４は、下に垂れ下がるように回動可能になっている。尚、図８に示すように、吊りブロック８２の他、ロックアーム８４、ロック解除機構８０等は、左右対称に設けられている。
【００３４】
次に、本実施例の入浴リフト座部脱落防止機構の動作及び使用方法を説明する。まず、座部３０が台車１０に固定された状態で入浴者が座部３０に座っており、そして、浴槽４の脇に移動されてくる。次に、入浴リフト２のリフトアーム５０が座部３０の背部フレーム３６の背後に来るように、リフトアーム５０に向かって座部３０を台車１０ごと接近させる。このとき、リフトアーム５０の係止バー５２が、背部フレーム３６の吊りブロック８２の下方に開いた開口よりも下に来るように、リフトアーム５０の高さを操作した上で接近させる。そしてこのとき、ロック解除機構８０の当接リンク８８の他端が、ドグ部材２０の上面に当接して押し上げられているために、ロッド８６ａが上方に押し上げられ、ロッド８６ａが回動片９２ａをバネ９６の付勢力に抗して、回動軸９４ａを反時計回りに背部フレーム３６方向に回転させた状態になっている。この回動軸９４ａの位置では、回動軸９４ａから回動片９２ａと逆方向に突出する回動片９２ｂが、下方向に位置し、ロッド８６ａとは逆方向にロッド８６ｂを押し下げている。ロッド８６ｂが下がることで、ロックアーム８４のロックアーム片８４ａがロッド８６ｂにより引き下げられ、ロックアーム８４が、図７に示すように、吊りブロック８２の下方に開いた開口を開放した状態になっている。
【００３５】
次に、図９（ａ）に示すように、背部フレーム３６（背部クッション材３８）を、リフトアーム５０に更に近づけ、リフトアーム５０の下端付近から背部フレーム３６方向に突出する押し当て部材５４に、背部フレーム３６が当たる位置まで移動させ、リフトアーム５０の係止バー５２が、背部フレーム３６の吊りブロック８２の下方に開いた開口の真下に位置するようにした上で、入浴リフト２のリフトアーム５０を徐々に上昇させていくと、リフトアーム５０の係止バー５２が、背部フレーム３６の吊りブロック８２の下方に開いた開口に嵌まり込むことになる。この状態では、まだ、座部３０自体が浮き上がっておらず、ロック解除機構８０の当接リンク８８の他端が、ドグ部材２０の上面に当接したままなので、ロックアーム８４は動かない。
【００３６】
ところが、入浴リフト２のリフトアーム５０を徐々に上昇させていくと、入浴リフト２のリフトアーム５０が、係止バー５２が係った吊りブロック８２を吊り上げることになり、座部３０が全体として持ち上がり始める。すると、ロック解除機構８０の当接リンク８８の他端が、ドグ部材２０の当接から開放されることで、ロッド８６ａが下に下がることが可能になり、回動軸９４ａに設けられたバネ９６の付勢力が作用し、回動片９２ａ、ロッド８６ａ及び当接リンク８８の他端が下がることになる。それと共に、回動軸９４ａが時計回りに回転し、回動軸９４ａの回転に合わせて、回動片９２ｂは逆に上昇する。すると、回動片９２ｂが、ロッド８６ｂを押し上げ、さらにロッド８６ｂがロックアーム片８４ａを押し上げる。ロックアーム片８４ａが押し上げられたロックアーム８４は、回動し、ロックアーム８４が、背部フレーム３６の吊りブロック８２の下方に開いた開口を封止する（図９（ｂ）参照）。これにより、入浴リフト２のリフトアーム５０から、座部３０が不必要に脱落することが防止される状態になる。
【実施例４】
【００３７】
上記の実施例１〜実施例３では、係止バー５２が入浴リフト２のリフトアーム５０に設けられ、ロック機構が座部３０に設けられている構造である。これに対し、本実施例４の入浴リフト座部脱落防止機構は、ロック機構等が設けられる側が異なっている。図１０は、本発明に係る入浴リフト座部脱落防止機構の第４の実施例を示す説明図である。図１１は、同第４の実施例の入浴リフト座部脱落防止機構の背面の構造を示す説明図である。図１２及び図１３は、同第４の実施例の入浴リフト座部脱落防止機構の動作を示す説明図である。
【００３８】
具体的には、座部３０が、入浴リフト２のリフトアーム１００と連結される部分に係止バー４６を備え、台車１０が、ドグ部材２４を備え、入浴リフト２が、係止バー４６を略コ字状に囲い込むように設けられる吊りブロック１１２と、吊りブロック１１２が係止バーを囲い込んだ状態で、吊りブロック１１２の開口側を封止して係止バー４６の吊りブロック１１２からの脱落を規制するロックアーム１１４と、ドグ部材２４から離間している状態で吊りブロック１１２の開口側を封止すると共にドグ部材２４に当接している状態で吊りブロック１１２の開口側を開放するようにロックアーム１１４を動作させるロック解除機構１１０とからなるロック機構を備えている。
【００３９】
本実施例４における入浴リフト２は、実施例１〜実施例３と同様に座部３０を持ち上げる点において同様な動作をするものであるが、リフトアーム１００の構造が異なっている。また、台車１０及び座部３０の基本構造は、実施例１〜実施例３と同様であり（図１０〜図１３で、図１〜図９と同じ符号が附されたものは、同一又は同様のものである）、以下の本実施例４の説明においては、実施例１〜実施例３との違いを説明する。
【００４０】
まず、係止バー４６は、座部３０の背部フレーム３６の最上部から後方に伸びる基台４４によって、背部フレーム３６の後方に離間した位置に略水平に設けられている。また、ドグ部材２４は、台車１０の台車フレーム１２の後方上部（座部３０の背部フレーム３６の下方）から、上向きに突出する棒状のものである。
【００４１】
入浴リフト２のリフトアーム１００は、入浴リフト２の逆Ｙ字状に下方に向かって伸び、リフトアーム１００の２本の間の略中間部分に略水平に保持バー１２２が架け渡されている。吊りブロック１１２は、保持バー１２２に、係止バー４６を上方向に向かって略コ字状に囲い込むことが可能な形状に設けられている。ロックアーム１１４は、吊りブロック１１２が係止バー４６を囲い込んだ状態で、吊りブロック１１２の開口側を封止して係止バー４６の吊りブロック１１２からの脱落を規制するものである。ロック解除機構１１０は、ドグ部材２４から離間している状態で吊りブロック１１２の開口側を封止すると共にドグ部材２４に当接している状態で吊りブロック１１２の開口側を開放するようにロックアーム１１４を動作させる機構である。
【００４２】
次に、ロックアーム１１４、ロック解除機構１１０等の詳細を説明する。ロック解除機構１１０は、具体的には、まず、リフトアーム１００の下端に、下方に伸びてステー１０２が設けられ、そのステー１０２の下端に、略Ｓ字状の当接リンク１１８が、リフトアーム側軸１２０により揺動自在に設けられている。そして、当接リンク１１８の一端には回動自在の当接ローラ１１８ａが設けられ、当接リンク１１８の他端からは上方に向かって、回動自在にロッド１１６が伸びている。
【００４３】
ロッド１１６の上端は、保持バー１２２に設けられた台座１２４に回動自在に設けられたカプラ１１４ａに回動自在に接続されている。具体的には、ロックアーム１１４は、略コ字状の板材で、下の端片の略中央付近が台座１２４に回動自在に保持され、この下の端片の端部であるロックアーム片１１４ｂが、座部３０側に突出し、下の端片のロックアーム片１１４ｂの台座１２４で軸支された反対側にロッド１１６の上端が接続されている。また、ロックアーム片１１４ｂは、リフトアーム１００から突出するバネ基台１２８との間にバネ１２６が架け渡され、ロックアーム片１１４ｂが下に下がる方向（当接リンク１１８の他端が上がる方向）に、付勢されている。尚、図１１に示すように、吊りブロック１１２の他、ロックアーム１１４、ロック解除機構１１０等は、左右対称に設けられている。
【００４４】
次に、本実施例の入浴リフト座部脱落防止機構の動作及び使用方法を説明する。まず、座部３０が台車１０に固定された状態で入浴者が座部３０に座っており、そして、浴槽４の脇に移動されてくる。次に、入浴リフト２のリフトアーム１００が座部３０の背部フレーム３６の背後に来るように、リフトアーム１００に向かって座部３０を台車１０ごと接近させる。このとき、係止バー４６が、吊りブロック１１２の上方に開いた開口よりも上になるように、リフトアーム１００の高さを操作した上で接近させる。この段階では、当接リンク１１８の当接ローラ１１８ａは、どこにも当接していない状態で、且つ、バネ１２６の付勢力により、図１２に示すように、ロックアーム片１１４ｂが押し下げられた状態であることから、ロックアーム１１４は、吊りブロック１１２の上方に開いた開口を封止した状態になっている。
【００４５】
次に、図１３（ａ）に示すように、背部フレーム３６（背部クッション材３８）を、リフトアーム１００に更に近づけ、リフトアーム１００の下端付近から背部フレーム３６方向に突出する押し当て部材１０４に、背部フレーム３６が当たる位置まで移動させ、吊りブロック１１２を係止バー４６の真下にする。このように、リフトアーム１００の押し当て部材１０４に背部フレーム３６が当たる位置まで座部３０を台車１０ごと移動させると、当接リンク１１８の当接ローラ１１８ａが、ドグ部材２４の側面に当接し、当接リンク１１８が、リフトアーム側軸１２０を回動軸として、回動する。そして、当接リンク１１８の他端が下方に下がり、ロッド１１６を下に下げることになる。すると、ロックアーム１１４が回動して、吊りブロック１１２の上方に開いた開口が開放されることになる。
【００４６】
この状態で、図１３（ｂ）に示すように、リフトアーム１００を上昇させるが、当接リンク１１８の当接ローラ１１８ａは依然としてドグ部材２４に当接して回動させられているので、ロックアーム１１４は、吊りブロック１１２の上方に開いた開口を開放したままで、吊りブロック１１２の上方に開いた開口に係止バー４６が嵌まり込ませるようにする。
【００４７】
入浴リフト２のリフトアーム１００を徐々に上昇させていくと、図１０に示すように、入浴リフト２のリフトアーム１００が、係止バー４６が係った吊りブロック１１２を吊り上げることになり、座部３０が全体として持ち上がり始める。そして、当接リンク１１８の当接ローラ１１８ａがドグ部材２４と当接しなくなって当接リンク１１８が回動する。すると、ロッド１１６が上昇するに従ってロックアーム１１４も回動し、係止バー４６が吊りブロック１１２に納められた状態で、吊りブロック１１２の上方に開いた開口がロックアーム１１４で封止される。これにより、入浴リフト２のリフトアーム１００から、座部３０が不必要に脱落することが防止される状態になる。
【００４８】
以上のような本願の入浴リフト座部脱落防止機構によれば、入浴リフト２のリフトアーム５０，１００から、座部３０が不必要に脱落することが防止される。また、入浴者及び入浴リフト２を操作する者が、自ら座部３０の脱落を防止するために特別な操作を行う必要がなく、ロック等のし忘れをなくす一方、煩雑な操作が不要でありながら、座部３０が不必要に脱落することが防止される。
【００４９】
尚、実施例１〜実施例３は、係止バー５２が、入浴リフト２のリフトアーム５０に設けられ、また、吊りブロック６２、ロックアーム６４，６４ａ，８４及びロック機構が、座部３０に設けられており、実施例４は、係止バー４６が座部３０に設けられ、吊りブロック１１２，ロックアーム１１４及びロック機構が、入浴リフト２のリフトアーム１００に設けられている。このように、本発明においては、係止バー、吊りブロック、ロックアーム及びロック機構が、座部３０の側でもリフトアーム５０，１００の側でも、どちらでもよい。
【００５０】
尚、上述のように、係止バー５２，４６を保持及びロックする方法として、略コ字状の吊りブロック６２の下方に開いた開口に係止バー５２を嵌めた上で、吊りブロック６２の下方に開いた開口をロックアーム６４，６４ａで封止するにあたり、吊りブロック６２の下方にロックアーム６４，６４ａの回転要素を配置し、ロックアーム６４，６４ａの端面で圧縮力を受けて脱落を防止する実施例１や実施例２の方法がある。
【００５１】
また、略コ字状の吊りブロック８２の下方に開いた開口に係止バー５２を嵌めた上で、吊りブロック８２の上方にロックアーム８４の回転要素を配置し、脱落力をフックの要素で引張力で受けて脱落を防止する実施例３の方法もある。
【００５２】
さらに、略コ字状の吊りブロック１１２の上方に開いた開口に係止バー４６を嵌めた上で、吊りブロック１１２の下方にロックアーム１１４のフックの回動軸を設けて、脱落力をフックの引張力で受けて脱落を防止する実施例４の方法もある。
【００５３】
さらに、実施例としては説明していないが、略コ字状の吊りブロックの上側にロックアームの回動軸を設けて、脱落力をロックアームの圧縮力で受けて脱落を防止する方法もある。
【００５４】
このように、ロックアームの回動軸の位置や形状、また、脱落力を圧縮力で受けて脱落を防止するのか、引張力で受けて脱落を防止するのか等、その組み合わせは任意であり、制限されるものではない。
【産業上の利用可能性】
【００５５】
以上のように、入浴者及び入浴リフトを操作する者が、自ら座部の脱落を防止するために特別な操作を行う必要がなく、ロック等のし忘れをなくす一方、煩雑な操作が不要でありながら、座部が不必要に脱落することが防止される入浴リフト座部脱落防止機構を提供することができる。
【符号の説明】
【００５６】
２・・・・・・入浴リフト
４・・・・・・浴槽
１０・・・・・台車
１２・・・・・台車フレーム
１４・・・・・車輪
１６・・・・・座部受け
１８・・・・・座部受け
２０・・・・・ドグ部材
２２・・・・・フットレスト
３０・・・・・座部
３２・・・・・座部フレーム
３４・・・・・座部クッション材
３６・・・・・背部フレーム
３８・・・・・背部クッション材
４０・・・・・ヘッドレスト
４２・・・・・アームレスト
４４・・・・・基台
４６・・・・・係止バー
５０・・・・・リフトアーム
５２・・・・・係止バー
５４・・・・・押し当て部材
６０・・・・・ロック解除機構
６２・・・・・吊りブロック
６４・・・・・ロックアーム
６４ａ・・・・ロックアーム
６６・・・・・ロッド
６８・・・・・当接リンク
７０・・・・・座部側軸
７２・・・・・回動片
７４・・・・・回動軸
７６・・・・・バネ
７８・・・・・バネ基台
８０・・・・・ロック解除機構
８２・・・・・吊りブロック
８４・・・・・ロックアーム
８４ａ・・・・ロックアーム片
８６ａ・・・・ロッド
８６ｂ・・・・ロッド
８８・・・・・当接リンク
９０・・・・・台車側軸
９２ａ・・・・回動片
９２ｂ・・・・回動片
９４ａ・・・・回動軸
９４ｂ・・・・回動軸
９６・・・・・バネ
９８・・・・・バネ基台
１００・・・・リフトアーム
１０２・・・・ステー
１０４・・・・押し当て部材
１１０・・・・ロック解除機構
１１２・・・・吊りブロック
１１４・・・・ロックアーム
１１４ａ・・・カプラ
１１４ｂ・・・ロックアーム片
１１６・・・・ロッド
１１８・・・・当接リンク
１１８ａ・・・当接ローラ
１２０・・・・リフトアーム側軸
１２２・・・・保持バー
１２４・・・・台座
１２６・・・・バネ
１２８・・・・バネ基台
【図１】
0006606372.tif 000002
【図２】
0006606372.tif 000003
【図３】
0006606372.tif 000004
【図４】
0006606372.tif 000005
【図５】
0006606372.tif 000006
【図６】
0006606372.tif 000007
【図７】
0006606372.tif 000008
【図８】
0006606372.tif 000009
【図９】
0006606372.tif 000010
【図１０】
0006606372.tif 000011
【図１１】
0006606372.tif 000012
【図１２】
0006606372.tif 000013
【図１３】
0006606372.tif 000014